(57)【要約】【課題】洗浄用バスケット内で洗浄対象物を容易に安定させるための固定用治具を提供する。【解決手段】洗浄用バスケット１内において洗浄対象物３を固定するための治具であって、棒状の本体部材２０の周面に、洗浄対象物３の縁部を挿入させる溝部２７が複数形成され、本体部材２０の端部には、本体部材２０の端部を洗浄用バスケット１に固定するための固定部材２１が取り付けられることを特徴とする、固定用治具２。本発明の固定用治具２を用いることにより、洗浄用バスケット１内において洗浄対象物３を容易に安定させることができる。これにより、洗浄対象物３の浮動や、洗浄対象物３同士が重なったり、移動してしまうことを防止でき、均一な洗浄が可能となる。【選択図】図４
2020151619.tif 000002
【特許請求の範囲】
【請求項１】
洗浄用バスケット内において洗浄対象物を固定するための治具であって、
棒状の本体部材の周面に、洗浄対象物の縁部を挿入させる溝部が複数形成され、
前記本体部材の端部には、前記本体部材の端部を前記洗浄用バスケットに固定するための固定部材が取り付けられることを特徴とする、固定用治具。
【請求項２】
前記溝部は環状であることを特徴とする、請求項１に記載の固定用治具。
【請求項３】
前記固定部材はボルトとナットからなることを特徴とする、請求項１または２に記載の固定用治具。
【請求項４】
請求項１〜３のいずれか一項に記載の固定用治具を備えた、洗浄用バスケット。
【発明の詳細な説明】
【技術分野】
【０００１】
本発明は、洗浄用バスケット内において洗浄対象物を固定するための治具に関する。
【背景技術】
【０００２】
例えば半導体の製造工場などのダクトに付着した貴金属を回収するために、ダクトの構成部品を分解し、洗浄することが行われる。そのような洗浄対象物を洗浄する方法として、網で構成された洗浄用バスケット内に洗浄対象物を収納し、薬品などの洗浄液中に洗浄用バスケットを浸漬させて、洗浄対象物を洗浄する技術が知られている（例えば特許文献１）。ここで従来は、洗浄用バスケット内に洗浄対象物をそのまま収納し、例えば洗浄用バスケット内に洗浄対象物を立て掛けるなどして洗浄していた。
【先行技術文献】
【特許文献】
【０００３】
【特許文献１】特開２０１６−７３９３４号公報
【発明の概要】
【発明が解決しようとする課題】
【０００４】
しかしながら、洗浄用バスケット内に洗浄対象物をそのまま収納して洗浄した場合、洗浄用バスケット内で洗浄対象物が安定しないという問題があった。特に超音波洗浄では、浮力や超音波の影響で洗浄対象物が浮動し、洗浄対象物同士が重なったり、移動してしまうため、均一に洗浄することが困難であった。この場合、洗浄用バスケットの底面に滑り止めを設けることも試みたが、洗浄対象物の形状や大きさによっては、安定して固定することができないことがあった。
【０００５】
また、洗浄対象物を安定させるために、洗浄用バスケット内において、洗浄対象物同士が接触しないようにＳＵＳ製の針金で固定する方法も提案されていたが、針金が洗浄対象物の表面に接触して液シミが発生する問題があった。また、針金によって洗浄対象物に傷がつく、取付の際、作業員が針金の端部に接触して怪我をするななどの問題があった。
【０００６】
本発明は、上記事情に鑑みてなされたものであり、洗浄用バスケット内で洗浄対象物を容易に安定させるための固定用治具を提供するものである。
【課題を解決するための手段】
【０００７】
上記課題を解決するために、本発明によれば、洗浄用バスケット内において洗浄対象物を固定するための治具であって、棒状の本体部材の周面に、洗浄対象物の縁部を挿入させる溝部が複数形成され、前記本体部材の端部には、前記本体部材の端部を前記洗浄用バスケットに固定するための固定部材が取り付けられることを特徴とする、固定用治具が提供される。
【０００８】
この固定用治具において、前記溝部は環状であっても良い。また、前記固定部材は、例えばボルトとナットからなる。
【０００９】
また本発明によれば、これらの固定用治具を備えた、洗浄用バスケットが提供される。
【発明の効果】
【００１０】
本発明の固定用治具を用いることにより、洗浄用バスケット内において洗浄対象物を容易に安定させることができる。これにより、洗浄対象物の浮動や、洗浄対象物同士が重なったり、移動してしまうことを防止でき、均一な洗浄が可能となる。
【図面の簡単な説明】
【００１１】
【図１】洗浄用バスケットの斜視図である。
【図２】本発明の実施の形態に係る固定用治具の説明図である。
【図３】洗浄用バスケットに固定用治具を取り付けた状態を示す拡大図である。
【図４】固定用治具を取り付けた洗浄用バスケットの斜視図である。
【図５】固定用治具を取り付けた洗浄用バスケットの平面図である。
【発明を実施するための形態】
【００１２】
以下、本発明の実施の形態の一例について、図面を参照しながら説明する。なお、本明細書および図面において、実質的に同一の機能構成を有する要素においては、同一の符号を付することにより重複説明を省略する。
【００１３】
図１に示すように、この実施の形態にかかる洗浄用バスケット１は、直方体形状をなしており、洗浄用バスケット１全体は、通液性のある網で構成されている。洗浄用バスケット１の上面には、吊り下げ用の取っ手１０が取り付けられている。
【００１４】
図２に示すように、固定用治具２は、棒状の本体部材２０の端部の固定部材２１が取り付けられる構成である。本体部材２０は、例えばＳＵＳからなる丸棒２５の全長を覆うように、複数の紡錘形状（そろばん玉形状）の筒体２６を一定間隔で回転自在に取り付けた構成である。隣接する筒体２６同士の間には環状の溝部２７が形成されている。溝部２７の側面はテーパー面２７ａとなっており、溝部２７は外側に向かって広がるように形成されている。筒体２６は、例えばフッ素樹脂（ＰＴＦＥ）などからなる。
【００１５】
この実施の形態では、固定部材２１は、ボルト３０とナット３１からなる。図３に示すように、ナット３１をボルト３０に通し、ナット３１の先端を、丸棒２５の端部にねじ込んで、ナット３１とボルト３０の間に、洗浄用バスケット１の網を構成する鋼材１１を挟むことにより、固定用治具２の端部を洗浄用バスケット１に固定するようになっている。丸棒２５の端部には、ナット３１の先端をねじ込むためのネジ穴２８が設けられている。なお、ネジ止め以外では、例えばばねを用いてナット３１が伸縮可能な構成とすることによる固定でもよい。
【００１６】
図４に示すように、以上のように構成された固定用治具２を、洗浄用バスケット１の内部の適当な箇所に取り付ける。この場合、洗浄用バスケット１の対向している各側面において、ナット３１とボルト３０の間に、洗浄用バスケット１の網を構成する鋼材１１を挟むことにより、それら側面の間に固定用治具２を架け渡すようにして固定することができる。なお、洗浄用バスケット１の側面は網であるので、ナット３１を通す位置を自由に変えることができ、洗浄用バスケット１の側面において、固定用治具２の取り付け位置を任意に変更できる。また、固定用治具２の取り付け本数も任意に変更できる。
【００１７】
そして、図５に示すように、洗浄用バスケット１の内部に固定用治具２を予め取り付けておき、複数の洗浄対象物３を、洗浄用バスケット１の内部に収納する。その際、洗浄対象物３の縁部を、固定用治具２の本体部材２０の周面に形成されている溝部２７に挿入させ、各洗浄対象物３の間に、隙間ができるようにセットする。なお、溝部２７が外側に向かって広がるテーパー面２７ａとなっており、また、筒体２６が回転自在であるため、このように洗浄対象物３の縁部を溝部２７に挿入する際に、洗浄対象物３の縁部を破損する心配が少なく、円滑に挿入することができる。
【００１８】
こうして、複数の洗浄対象物３を、互いに隙間ができた状態で洗浄用バスケット１の内部に収納し、その洗浄用バスケット１を洗浄装置（図示せず）等に搬入して洗浄を行う。洗浄対象物３の縁部が本体部材２０の周面に形成されている溝部２７に挿入されて安定した状態となっているので、洗浄中、洗浄用バスケット１内に収納されている各洗浄対象物３の間の隙間が一定に維持され、洗浄対象物３が移動することなく、均一な洗浄が行われる。固定用治具２は、洗浄用バスケット１の網を利用してナット３１とボルト３０で固定するため、洗浄対象物３の形状や大きさに応じて任意の位置に配置でき、微調整が可能であり、洗浄用バスケット１に入る洗浄対象物３であれば、各種のものに対応が可能である。また、筒体２６は例えばフッ素樹脂などからなるので、洗浄対象物３との接触部では液シミの発生を防止できる。
【００１９】
以上、本発明の一実施形態について説明したが、本発明はかかる例に限定されない。当業者であれば、特許請求の範囲に記載された技術的思想の範疇内において、各種の変更例または修正例に想到しうることは明らかであり、それらについても当然に本発明の技術的範囲に属するものと了解される。
【００２０】
例えば、図４、５では、洗浄用バスケット１の内部に４本の固定用治具２を取り付ける例を示したが、洗浄用バスケット１の内部に取り付ける固定用治具２の本数、設置仮称は任意に変更できる。なお、図４、５に示したように、洗浄対象物３を側方二箇所、底辺二箇所で保持すればため、洗浄中に洗浄対象物３が容易には動かず均一な精密洗浄が可能になる。なお、溝部２７を形成するテーパー面２７ａの開き角度は９０°のものを検討したが、８０°程度の開き角度であれば、洗浄対象物３を程よくセットできた。また、固定部材２１は、ボルト３０とナット３１の他、例えばばね棒を利用して洗浄用バスケット１への固定用治具２の装着を簡易に可能とすることもできる。
【産業上の利用可能性】
【００２１】
本発明は、洗浄対象物を洗浄する技術に適用することができる。
【符号の説明】
【００２２】
１  洗浄用バスケット
２  固定用治具
３  洗浄対象物
１０  吊り下げ用の取っ手
２０  本体部材
２１  固定部材
２５  丸棒
２６  筒体
２７  溝部
２７ａ  テーパー面
２８  ネジ穴
３０  ボルト
３１  ナット
【図１】
2020151619.tif 000003
【図２】
2020151619.tif 000004
【図３】
2020151619.tif 000005
【図４】
2020151619.tif 000006
【図５】
2020151619.tif 000007